(57)【要約】【課題】灯具の着脱作業を簡易化しつつ灯具の落下を防止できると共に、材料費および加工費の削減を図ることを可能にすること。【解決手段】灯具は、発光体が取り付けられる台座と、発光体を覆うカバー部材と、を含めた長尺状の灯具本体を有し、灯具本体が、灯具取付器具に保持された状態で当該灯具本体の短手方向の両端部から灯具取付器具の内側に向かって且つ短手方向の外方へと延在する張出部を備え、灯具取付器具は、固定具を用いて被取付部に取り付けられる長尺状の本体部と、本体部の長手方向に沿って設けられ、灯具を着脱自在に保持する取付部と、を有し、取付部は、本体部の短手方向の断面において発光体から発光される光の照射側が開口された凹状に形成され、灯具を保持した状態で張出部と対向して当接し、灯具の光の照射側への移動を規制する移動規制部を備えているものである。【選択図】図３
2020202061.tif 000002
【特許請求の範囲】
【請求項１】
光源となる発光体を有する灯具と、前記灯具を着脱自在に保持する灯具取付器具と、を備える照明装置であって、
前記灯具は、
前記発光体が取り付けられる台座と、前記発光体を覆うカバー部材と、を含めた長尺状の灯具本体を有し、
前記灯具本体が、
前記灯具取付器具に保持された状態で当該灯具本体の短手方向の両端部から前記灯具取付器具の内側に向かって且つ前記短手方向の外方へと延在する張出部を備え、
前記灯具取付器具は、
固定具を用いて被取付部に取り付けられる長尺状の本体部と、
前記本体部の長手方向に沿って設けられ、前記灯具を着脱自在に保持する取付部と、を有し、
前記取付部は、
前記本体部の短手方向の断面において前記発光体から発光される光の照射側が開口された凹状に形成され、前記灯具を保持した状態で前記張出部と対向して当接し、前記灯具の前記光の照射側への移動を規制する移動規制部を備えている、照明装置。
【請求項２】
前記張出部は、
前記光源の光軸方向に沿って形成された灯具側対向部を有しており、
前記灯具は、
前記灯具側対向部が前記移動規制部に当接した状態で前記灯具取付器具の前記取付部に保持される、請求項１に記載の照明装置。
【請求項３】
前記張出部は、
前記灯具本体の前記短手方向の外方に向かって突出した灯具側段部を更に備えている、請求項２に記載の照明装置。
【請求項４】
前記移動規制部は、
前記光源の光軸方向に沿って形成された器具側対向部を有しており、
前記灯具は、
前記張出部が前記器具側対向部に当接した状態で前記灯具取付器具の前記取付部に保持される、請求項１に記載の照明装置。
【請求項５】
前記移動規制部は、
前記本体部の前記短手方向の外方に向かって突出した器具側段部を更に備えている、請求項４に記載の照明装置。
【請求項６】
前記灯具は、
前記灯具本体の短手方向における最大寸法が、前記取付部の前記開口された前記本体部の短手方向における最大寸法より大きい、請求項１〜５のいずれか一項に記載の照明装置。
【請求項７】
前記灯具は、
前記灯具本体の前記光源の光軸方向における最大寸法が、前記取付部の前記開口された前記本体部の短手方向における最大寸法より小さい、請求項１〜５のいずれか一項に記載の照明装置。
【請求項８】
光源となる発光体を有する灯具と、前記灯具を着脱自在に保持する灯具取付器具と、を備える照明装置の組付方法であって、
前記灯具は、
前記発光体が取り付けられる台座と、前記発光体を覆うカバー部材と、を含めた長尺状の灯具本体が、前記灯具取付器具に保持された状態で当該灯具本体の短手方向の両端部から前記灯具取付器具の内側に向かって且つ前記短手方向の外方へと延在して設けられた張出部を有しており、
前記灯具取付器具が有する長尺状の本体部を、固定具を用いて被取付部に取り付ける器具取付工程と、
前記本体部の長手方向に沿って設けられた取付部に対して前記灯具を装着する灯具装着工程と、
前記灯具取付器具が前記灯具を保持した状態で、前記取付部に設けられた前記張出部に対向する移動規制部と前記張出部とを当接させて、前記灯具の前記発光体から発光される光の照射側への移動を規制する灯具組付工程と、を含む照明装置の組付方法。
【請求項９】
前記灯具取付器具は、前記本体部の長手方向の端部に開口部が形成されており、
前記灯具装着工程では、
前記灯具を、前記開口部から前記本体の長手方向に沿って摺動させながら挿入して前記取付部に装着させる、請求項８に記載の照明装置の組付方法。
【請求項１０】
前記灯具取付器具は、前記取付部が前記本体部の短手方向の断面において前記発光体から発光される光の照射側が開口された凹状に形成されており、
前記灯具装着工程では、
前記灯具を、前記灯具本体の長手方向の軸中心に回転させ、前記取付部に対して傾かせながら挿入して装着させる、請求項８に記載の照明装置の組付方法。
【請求項１１】
請求項１〜７のいずれか一項に記載の照明装置が備える灯具。
【請求項１２】
請求項１〜７のいずれか一項に記載の照明装置が備える灯具取付器具。
【発明の詳細な説明】
【技術分野】
【０００１】
本発明は、灯具と、灯具を保持する灯具取付器具と、これらを用いた照明装置と、当該照明装置を構成する灯具と灯具取付器具との組付方法と、に関する。
【背景技術】
【０００２】
従来、光源となる発光体を有する灯具と、この灯具を着脱自在に保持する灯具取付器具と、を備える照明装置が知られている（例えば、特許文献１参照）。かかる照明装置において、灯具は、発光体が取り付けられる台座と、発光体を覆うカバー部材と、を含めた長尺状の灯具本体を有している。また、灯具取付器具は、ねじなどの固定具を用いて天井壁などの被取付部に取り付けられる長尺状の本体部と、本体部の長手方向に沿って設けられ、灯具を保持する取付部と、を有している。このとき、取付部は、本体部の短手方向の断面において発光体から発光される光の照射側が開口された凹状に形成されており、灯具取付器具に対する灯具の着脱に、連結具としてのばね、および、ばねを係止するばね受け具といった副資材を用いている。
【先行技術文献】
【特許文献】
【０００３】
【特許文献１】特開２０１７−１２６５７８号公報
【発明の概要】
【発明が解決しようとする課題】
【０００４】
しかしながら、特許文献１の照明装置では、灯具取付器具に対する灯具の着脱に、ばねおよびばね受け金具といった副資材を用いているため、ばねの付勢力が作用することに起因して設置作業が煩雑となる虞があった。また、このような副資材を用いているため、照明装置以外の材料費および加工費が必要であるばかりか、長期間に亘る照明装置の使用に伴う副資材への劣化または誤施工といった影響により、落下する懸念もあった。
【０００５】
そこで、本発明は、上述した課題を解決するもので、灯具の着脱作業を簡易化しつつ灯具の落下を防止できると共に、材料費および加工費の削減を図ることができる照明装置およびその組付方法、並びにそれに用いる灯具および灯具取付器具を提供するものである。
【課題を解決するための手段】
【０００６】
本発明に係る照明装置は、光源となる発光体を有する灯具と、灯具を着脱自在に保持する灯具取付器具と、を備える照明装置であって、灯具は、発光体が取り付けられる台座と、発光体を覆うカバー部材と、を含めた長尺状の灯具本体を有し、灯具本体が、灯具取付器具に保持された状態で当該灯具本体の短手方向の両端部から灯具取付器具の内側に向かって且つ短手方向の外方へと延在する張出部を備え、灯具取付器具は、固定具を用いて被取付部に取り付けられる長尺状の本体部と、本体部の長手方向に沿って設けられ、灯具を着脱自在に保持する取付部と、を有し、取付部は、本体部の短手方向の断面において発光体から発光される光の照射側が開口された凹状に形成され、灯具を保持した状態で張出部と対向して当接し、灯具の光の照射側への移動を規制する移動規制部を備えているものである。
【０００７】
また、本発明に係る照明装置の組付方法は、光源となる発光体を有する灯具と、灯具を着脱自在に保持する灯具取付器具と、を備える照明装置の組付方法であって、灯具は、発光体が取り付けられる台座と、発光体を覆うカバー部材と、を含めた長尺状の灯具本体が、灯具取付器具に保持された状態で当該灯具本体の短手方向の両端部から灯具取付器具の内側に向かって且つ短手方向の外方へと延在して設けられた張出部を有しており、灯具取付器具が有する長尺状の本体部を、固定具を用いて被取付部に取り付ける器具取付工程と、本体部の長手方向に沿って設けられた取付部に対して灯具を装着する灯具装着工程と、灯具取付器具が灯具を保持した状態で、取付部に設けられた張出部に対向する移動規制部と張出部とを当接させて、灯具の発光体から発光される光の照射側への移動を規制する灯具組付工程と、を含むものである。
【０００８】
さらに、本発明に係る灯具は前述の照明装置が備えるものであり、本発明に係る灯具取付器具は前述の照明装置が備えるものである。
【発明の効果】
【０００９】
本発明によれば、灯具本体が、灯具取付器具に保持された状態で当該灯具本体の短手方向の両端部から灯具取付器具の内側に向かって且つ短手方向の外方へと延在する張出部を備えている。また、灯具を着脱自在に保持する灯具取付器具は、灯具を保持した状態で張出部と対向して当接し、灯具の光の照射側への移動を規制する移動規制部を取付部に備えている。したがって、灯具を灯具取付器具の取付部に組み付け、移動規制部に対して張出部を当接させる簡易な作業で、灯具の着脱作業を簡易化しつつ灯具の発光体から発光される光の照射側への移動を規制して落下を防止できる。また、灯具取付器具に対する灯具の着脱に、ばねおよびばね受け金具といった副資材を用いる必要がないため、材料費および加工費の削減を図ることができる。
【図面の簡単な説明】
【００１０】
【図１】実施の形態１に係る照明装置を示す斜視図である。
【図２】図１の照明装置を示す分解斜視図である。
【図３】図２の照明装置をＡ−Ａ視野から見て示す概略断面図である。
【図４】図１の照明装置における灯具を示す斜視図である。
【図５】図１の照明装置の組付手順を示す概略図である。
【図６】図１の照明装置の組付手順を示す概略図である。
【図７】図１の照明装置の組付手順を示す概略図である。
【図８】実施の形態１の変形例１に係る照明装置を示す概略断面図である。
【図９】実施の形態１の変形例２に係る照明装置を示す概略断面図である。
【図１０】実施の形態１の変形例３に係る照明装置を示す概略断面図である。
【図１１】実施の形態２に係る照明装置の組付手順を示す概略断面図である。
【図１２】実施の形態２に係る照明装置の組付手順を示す概略断面図である。
【図１３】実施の形態２に係る照明装置の組付手順を示す概略断面図である。
【図１４】実施の形態３に係る照明装置を示す概略断面図である。
【図１５】実施の形態３の変形例１に係る照明装置を示す概略断面図である。
【図１６】実施の形態３の変形例２に係る照明装置を示す概略断面図である。
【図１７】実施の形態３の変形例３に係る照明装置を示す概略断面図である。
【図１８】実施の形態４に係る照明装置の組付手順の説明に供する図である。
【図１９】図１８の照明装置をＢ−Ｂ視野から見て示す概略断面図である。
【図２０】実施の形態５に係る照明装置を示す概略断面図である。
【発明を実施するための形態】
【００１１】
以下、照明装置の実施の形態について、図面を参照しながら説明する。なお、以下に説明する実施の形態によって照明装置およびその組付方法並びにそれに用いる灯具および灯具取付器具が限定されるものではない。また、図１を含め、以下の図面では各構成部材の大きさの関係が実際のものとは異なる場合がある。また、以下の説明において、理解を容易にするために方向を表す用語を適宜用いるが、これは説明のためのものであって、これらの用語は照明装置およびその組付方法並びにそれに用いる灯具および灯具取付器具を限定するものではない。方向を表す用語としては、例えば、「上」、「下」、「右」、「左」、「前」または「後」などが挙げられる。
【００１２】
実施の形態１．
図１は、実施の形態１に係る照明装置１を示す斜視図である。図２は、図１の照明装置１を示す分解斜視図である。まず、図１および図２を参照して、本実施の形態１に係る灯具取付器具２および照明具としての灯具３を備える照明装置１の全体構成を説明する。なお、以下の説明において、長手方向を長手方向Ｘ、長手方向Ｘに対する短手方向を短手方向Ｙとし、長手方向Ｘおよび短手方向Ｙのそれぞれに直交する方向を上下方向Ｚとする。また、照明装置１が取り付けられる被取付部としての天井９の側を上方向Ｚ１とし、上方向Ｚ１と反対側であり照明装置１が光を照射する側を下方向Ｚ２とする。
【００１３】
照明装置１は、長尺状の灯具取付器具２と、灯具取付器具２に着脱自在に取り付けられる長尺状の灯具３とを備えている。なお、灯具３は光源ユニットとも称される。
【００１４】
図３は、図２の照明装置１をＡ−Ａ視野から見て示す概略断面図である。図４は、図１の照明装置１における灯具３を示す斜視図である。図１〜図４を参照して照明装置１の各部の構成を説明する。
【００１５】
＜灯具取付器具２＞
灯具取付器具２は、図３に示すように、吊ボルト８などの固定具を用いて天井９などの被取付部に取り付けられる。灯具取付器具２は、図２に示すように、天井９に取り付けられる長尺状の本体部２０と、本体部２０の長手方向Ｘに沿って設けられ、灯具３を着脱自在に保持する取付部２３と、取付部２３の長手端部を覆う端板２１とを備える。また、灯具取付器具２は、灯具取付器具２の外部から引き込まれた図示しない電源線が挿し込まれる端子台２４を備えている。
【００１６】
（取付部２３）
本体部２０は、図２および図３に示すように、長手方向Ｘに沿って長尺且つ矩形平板状に形成された底面部２００と、底面部２００の短手方向Ｙの両端部からそれぞれ下方向Ｚ２の中央に向けて傾斜して延在する一対の側面部２０１と、を有する。これら底面部２００と側面部２０１とは、取付部２３を構成する。取付部２３は、底面部２００と側面部２０１とを有し、短手方向Ｙの断面の下方向Ｚ２側が開口した凹状をなしており、灯具３の一部を収納する。つまり、取付部２３において、側面部２０１の一端の側に底面部２００が位置し、側面部２０１の他端２０６の側に灯具３が挿入される開口部Ｐ１が形成されている。ここで、他端２０６は開口部Ｐ１の周縁部である。
【００１７】
また、取付部２３は、長手方向Ｘにおける一端に灯具３が挿入される開口部Ｐ２が形成されている。開口部Ｐ２は、長手方向Ｘにおける両端に形成されてもよい。換言すると、取付部２３は、上下方向Ｚにおける下端に開口部Ｐ１が形成されており、長手方向Ｘにおける両端に開口部Ｐ２が形成されており、いずれかの開口部Ｐ１またはＰ２から灯具３が挿入されるようになっている。この取付部２３において、側面部２０１は灯具３を保持した状態で、後述する灯具３の張出部として機能する台座側部３０４と対向して当接する移動規制部として機能する。このように、本実施の形態１の照明装置１は、特別な連結機構を用いることなく、灯具３を灯具取付器具２に装着できる構成となっている。そして、本実施の形態１の照明装置１は、特別な連結機構を用いることなく、灯具３を灯具取付器具２に保持できる構成となっている。なお、本実施の形態１では、後述する組付方法において、灯具３が取付部２３に対し、開口部Ｐ２からスライドさせて装着される場合について説明することとする。
【００１８】
また、本体部２０は、各側面部２０１の下端部である他端２０６からそれぞれ取付部２３の外側の斜め上方（上下方向Ｚの上向きである上方向Ｚ１且つ取付部２３から離れる向き）に、天井９に向けて傾斜して延在する外観部２０７を有している。外観部２０７は、反射板として機能する。外観部２０７は、プレス加工またはロール加工などによって側面部２０１の下端部から屈曲されたり、押出成形により形成されたり、などによって、取付部２３と一体に形成されている。外観部２０７の内面の側には、器具側部貫通孔２０８が設けられており、端板２１の固定用ねじ２２を螺合させるねじ固定孔２０９が設けられている。
【００１９】
なお、図示を省略するが、底面部２００には、商用電源と接続する電源線を引き込むための電源引込孔、および、吊ボルト８などの固定具により灯具取付器具２を天井９へ固定するための固定孔などが形成されている。
【００２０】
（端板２１）
端板２１は、図２に示すように、長手方向Ｘにおける取付部２３の一端に形成された開口部Ｐ２を塞ぐように配設されており、底面部２００、側面部２０１および外観部２０７の長手両端部と当接している。また、端板２１は、取付部２３の長手方向Ｘの両端部に形成された開口部Ｐ２を覆う端板本体部２１０と、端板本体部２１０の下方向Ｚ２側の側辺から端板本体部２１０に対して略垂直になるように突出した端板鍔部２１３とを有している。さらに、端板本体部２１０には、端板２１を本体部２０に固定するための固定用ねじ２２を挿通させるねじ孔２１２が設けられている。なお、長手方向Ｘにおける取付部２３の他端に開口部Ｐ２が形成される場合は、同様の端板２１を用いることができる。
【００２１】
端板本体部２１０には、矩形と円形とを組み合わせた略馬蹄形状をした端板蓋部２１１が取り外しできるように設けられている。端板蓋部２１１は、端板本体部２１０を構成する壁部にノックアウト加工が施された部分であり、例えば、たたくことにより、あるいは、切り取ることにより、Ｕ字状の縁部によって形成される開口（端部穴）を施工現場などで簡単に設けることができるようにした部分である。端板蓋部２１１は、取り外されることで端板本体部２１０に不図示の開口（端部穴）を形成する。また、端板本体部２１０には端板蓋部２１１の縁部を形作る不図示の溝部が形成されている。
【００２２】
端板本体部２１０は、端板蓋部２１１が取り外されることで、Ｕ字状の縁部によって形成される不図示の端部穴が形成される。端部穴は、灯具３が灯具取付器具２に取り付けられた場合に灯具３と対向する側が開口するように形成されている。端板本体部２１０から取り外される端板蓋部２１１は、取り外される前には端板本体部２１０の壁の一部を構成している。端板本体部２１０において、端板本体部２１０から取り外された際に端板蓋部２１１の縁部を形成する部分に形成された溝部は、端板本体部２１０の壁が凹状に形成された部分であり、端板本体部２１０の壁の厚さが薄い部分となる。なお、溝部は、凹状に形成されるものに限定されるものではなく、例えば、ミシン目のように複数の貫通孔が連続して形成されてもよい。また、端板蓋部はノックアウト加工により端板本体部２１０から取り外し可能に設けられているが、端板蓋部２１１は、ノックアウト加工以外にも爪による係合、あるいは、接着などで端板本体部２１０から取り外しができるように設けられてもよい。なお、端部穴は、例えば、複数の照明装置１を長手方向Ｘに沿って連結して設置する場合に、例えば、隣接する照明装置１に使用する電線を引き込む送り配線などに利用することができる。
【００２３】
（端子台２４）
端子台２４は、図２に示すように、取付部２３の底面部２００に固定されており、不図示の電源引込孔から引き込まれた電源線と接続し、商用電源から供給される電力を灯具３に供給する。端子台２４は、図示を省略する端子台本体部と、灯具３に電気的に接続するための端子台接続部２５とを備えている。なお、端子台本体部は、例えば、矩形箱状、円柱状または多角柱状などの形状で形成されている。端子台接続部２５は、図示を省略する端子台電線２５１と、端子台電線の先端に設けられた端子台コネクタ２５２とを備えている。
【００２４】
＜灯具３＞
（灯具本体）
次に、図１〜図４を参照して、灯具３の全体構成を説明する。図２〜図４に示すように、灯具３は、光源３１を有する台座３０と、光源３１を覆うカバー部材３２とを備え、これら台座３０とカバー部材３２とを含めて長尺状の灯具本体を構成している。
【００２５】
（台座３０）
台座３０は、長尺且つ矩形平板状の台座主部３００と、台座主部３００の短手方向Ｙの両端部から上方向Ｚ１に向かって且つ短手方向Ｙの外方へと延在する一対の台座側部３０４と、を有している。このとき、台座主部３００の短手方向Ｙの両端部から上方向Ｚ１に向かう方向とは、台座３０とカバー部材３２とを含めた灯具本体が、灯具取付器具２に保持された状態で灯具取付器具２の内側に向かう方向を意味する。
【００２６】
台座３０は、金属材料、あるいは樹脂材料を含む材料で形成される。本実施の形態１において、台座３０は、例えば鋼板などの金属材料を用いて、ロール加工などにより曲げられて形成されたり、あるいは、押出成形により形成されたりすることで、灯具３が必要とする剛性を有している。台座主部３００のカバー部材３２と対向する上下方向Ｚの下向きである下方向Ｚ２の下面には、略中央部に光源３１が配設されている。光源３１は、長尺且つ矩形平板状に形成された基板３１１と、基板３１１の長手方向Ｘに沿って直線状に実装される複数の発光体としての発光素子３１０とを備えている。
【００２７】
（電源装置３３）
台座主部３００のカバー部材３２とは反対側となる上下方向Ｚの上向きである上方向Ｚ１の上面には、電源装置３３が設けられている。電源装置３３は、不図示の制御回路部品と、この制御回路部品が実装された不図示の制御基板とが収納される長尺箱型形状の筐体３３０を備えている。また、電源装置３３には商用電源との間を電気的に接続するための灯具電源電線３４０が接続されている。この灯具電源電線３４０が端子台接続部２５と接続されることで端子台２４と接続され、この端子台２４を介して商用電源と電源装置３３とが電気的に接続される。すなわち、商用電源から灯具電源電線３４０を介して電源装置３３へと電力が供給され、この電力が電源装置３３から後述する給電線３４１を介して光源３１へと供給されることで、光源３１の発光素子３１０が発光する。
【００２８】
（光源３１）
光源３１において、発光素子３１０は、基板３１１の短手方向Ｙに１つ設けられている。光源３１の長手方向Ｘの一端部には、電源装置３３との間を電気的に接続するための給電線３４１が接続されている。この給電線３４１が電源装置３３と接続されることで、発光素子３１０と電源装置３３とが電気的に接続される。
【００２９】
灯具３は、灯具取付器具２に取り付けられ、照射対象空間に光を照射する。灯具３は、灯具取付器具２の取付部２３に収容され、保持される。灯具３は、電源装置３３から光源３１の発光素子３１０が実装された基板３１１に電源が供給されることで、発光素子３１０を発光させる。なお、発光素子３１０は、例えば表面実装タイプのＬＥＤ素子であるが、ＣＯＢ型のＬＥＤモジュールでもよい。また、発光素子３１０は、固体レーザ素子、半導体レーザ素子または有機ＥＬ素子でもよい。なお、発光素子３１０は、短手方向Ｙにおいて１つ設けられている例を示したが、これに限らず、発光素子３１０は、短手方向Ｙにおいて複数設けられてもよい。また、発光素子３１０を備えた基板３１１が、台座主部３００の短手方向Ｙにおいて複数設けられてもよい。また、発光素子３１０を備えた基板３１１が、台座主部３００の長手方向Ｘにおいて複数設けられてもよい。
【００３０】
（台座側部３０４）
本実施の形態１の場合、台座側部３０４は、灯具３が灯具取付器具２に保持された状態で、台座主部３００の短手方向Ｙの両端部から、それぞれ灯具取付器具２の内側に向かって、且つ、台座主部３００の短手方向Ｙの外方へと延在している。すなわち、台座側部３０４は、台座主部３００の短手方向Ｙの両端部から、それぞれ灯具取付器具２の取付部２３の内方に向かって、且つ、台座主部３００の短手方向Ｙの外方へと延在して形成されている。また、各台座側部３０４には、それぞれカバー部材３２を係合するためのカバー係合孔３０５が穿設されている。このカバー係合孔３０５に後述するカバー部材３２の各カバー係合部３２４が係合されることで、カバー部材３２が台座３０に固定され、各台座側部３０４と後述するカバー張出部３２３とは、灯具取付器具２の取付部２３における側面部２０１と対向して当接する。このとき、台座側部３０４とカバー張出部３２３とは、灯具３の張出部として機能する。これにより、灯具３は、張出部としての台座側部３０４およびカバー張出部３２３と、側面部２０１とが当接することによって下方向Ｚ２への移動が規制される。
【００３１】
（カバー部材３２）
カバー部材３２は、例えば乳白色のアクリル樹脂など透光性および拡散性を有する材料により光源３１を覆うように長尺に形成され、光源３１の発光素子３１０から照射される光を拡散しながら透過させるものである。カバー部材３２は、光源３１を覆う主カバー３２０と、当該主カバー３２０の長手方向Ｘの両端部をそれぞれ覆う端部カバー３２９と、を備えている。
【００３２】
主カバー３２０は、図３に示すように、短手方向Ｙにおいて、カバー正面部３２１と、カバー側面部３２２と、カバー張出部３２３と、カバー係合部３２４とを有している。主カバー３２０は、カバー正面部３２１と、カバー側面部３２２と、カバー張出部３２３と、カバー係合部３２４とが長手方向Ｘへ連続するように形成されている。カバー部材３２は、詳細は後述するが、台座主部３００の短手方向Ｙにおける両端部からそれぞれ延在する台座側部３０４に取り付けられる。なお、詳細は後述するが、各台座側部３０４には、カバー部材３２を係合するためのカバー係合孔３０５が貫通して形成されている。
【００３３】
カバー正面部３２１は下方向Ｚ２側に向けて湾曲した円弧形状であり、光源３１を覆っている。カバー正面部３２１は、短手方向Ｙの断面が円弧形状であるが、他の形状であってもよい。例えば、カバー正面部３２１は、短手方向Ｙの断面が、平板形状、三角形状、四角形状またはその他の多角形状であってもよい。あるいは、カバー正面部３２１は、単数または複数の平面から形成される平面形状または多面体形状であっても良く、単数または複数の曲面から形成される形状であってもよい。
【００３４】
カバー側面部３２２は、カバー正面部３２１の短手方向Ｙの両端部から、それぞれ台座主部３００の側、すなわち上方向Ｚ１側に立ち上がるように延在し、且つ、互いに光源３１の側に湾曲した円弧状に設けられている。カバー側面部３２２の上端の側には、それぞれ台座主部３００の台座側部３０４と対向して重なり、灯具取付器具２の取付部２３における移動規制部として機能する側面部２０１と当接するカバー張出部３２３が形成されている。つまり、灯具３は、カバー張出部３２３が台座側部３０４と共に側面部２０１と対向して当接することで張出部として機能し、移動規制部としての側面部２０１によって、照明空間の側へ向かう上下方向Ｚの下向きである下方向Ｚ２の移動が規制される。
【００３５】
カバー係合部３２４は、それぞれのカバー張出部３２３の上端部から光源３１の側となる内方側に向けて台座主部３００とほぼ平行に屈曲して形成されている。カバー係合部３２４は、台座主部３００の各台座側部３０４に形成されたカバー部材３２を係合するためのカバー係合孔３０５に係合される。主カバー３２０は、各カバー係合部３２４が各台座側部３０４のカバー係合孔３０５に係合されることにより台座３０に固定される。なお、主カバー３２０は、当該主カバー３２０の材料の弾性を利用して台座主部３００にはめ込むことにより台座３０に固定されるスナップフィット構造を用いてもよい。
【００３６】
このように、カバー部材３２は、各カバー係合部３２４が台座主部３００の各台座側部３０４に形成されたカバー係合孔３０５に係合されることで、台座３０に固定される。カバー部材３２が台座３０に固定されると、台座主部３００が灯具３の底壁部を構成する。また、カバー正面部３２１およびカバー側面部３２２は、発光素子３１０から発光される光を出射する部分となる。
【００３７】
端部カバー３２９は、主カバー３２０の長手方向Ｘの両端部において、それぞれ主カバー３２０の短手方向Ｙの断面と同様に下方向Ｚ２に向けて湾曲した円弧形状をなし、カバー張出部３２３を除いた部分を覆っている。
【００３８】
（張出部）
このように、台座３０とカバー部材３２とを含めた灯具本体において、台座側部３０４とカバー側面部３２２とが、張出部として機能する。すなわち、台座側部３０４とカバー側面部３２２とが、灯具取付器具２に保持された状態で、当該灯具本体の短手方向Ｙの両端部から灯具取付器具２の取付部２３の内側に向かって且つ短手方向Ｙの外方へと延在する張出部である。本実施の形態１の場合、台座側部３０４およびカバー側面部３２２は、取付部２３の内側に向かって且つ短手方向Ｙの外方へと直線状に延在している。台座側部３０４とカバー側面部３２２とは、光軸の方向に沿って、発光素子３１０から発光される光の照射側とは反対側に向かって離れるほど、短手方向Ｙの寸法Ｗ３２が大きくなる。また、灯具取付器具２の取付部２３は、短手方向Ｙにおいて、開口部Ｐ１の寸法Ｗ２１が最小であり、底面部２００の側に向かって直線状に広くなっている形状であり、灯具３の張出部の断面形状に対応した形状で形成されている。このように、灯具３の短手方向Ｙにおける最大の寸法Ｗ３２は、灯具取付器具２の取付部２３の短手方向Ｙにおける開口部Ｐ１の寸法Ｗ２１より大きく設定されている（Ｗ３２＞Ｗ２１）。
【００３９】
＜組付方法＞
図５〜図７を参照しながら、本実施の形態１の照明装置１における灯具取付器具２と灯具３との組付方法について説明する。図５は、図１の照明装置１の組付手順を示す概略図である。図６は、図１の照明装置１の組付手順を示す概略図である。図７は、図１の照明装置１の組付手順を示す概略図である。
【００４０】
ここで、以上のように構成される照明装置１において、図５〜図７に示すように、灯具３は、灯具取付器具２の取付部２３に対し、長手方向Ｘに沿って矢印Ｄ１方向にスライドさせて装着される。まず、図５に示すように、灯具３は、取付部２３の長手方向Ｘにおける一方の開口部Ｐ２から挿入され、他方の端部に向かって矢印Ｄ１方向にスライド装着される。
【００４１】
端子台２４（図２参照）に接続される端子台接続部２５は、取付部２３の一方の開口部Ｐ２より外側に先端の端子台コネクタ２５２が配置可能な長さを有している。図６に示すように、灯具３を取付部２３に装着する過程において、灯具３が完全に取付部２３に装着されない状態で、端子台接続部２５は端子台コネクタ２５２が電源装置３３に接続された灯具電源電線３４０のコネクタ３４２と接続される。端子台接続部２５と灯具電源電線３４０とは、点灯電力や各種制御信号の伝達経路となる。
【００４２】
灯具３が取付部２３に完全に装着されない状態であっても、張出部であるカバー側面部３２２が移動規制部である側面部２０１によって、照明空間の側へ向かう上下方向Ｚの下向きである下方向Ｚ２の移動が規制されるので、灯具３は灯具取付器具２から外れない。つまり、組付作業時の仮保持の機能を兼ね備えており、安全に配線作業ができる。
【００４３】
そして、図７に示すように、取付部２３に灯具３を完全に装着すると、取付部２３の開口部Ｐ２を端板２１によって覆い、当該端板２１を固定用ねじ２２によって本体部２０に固定する。
【００４４】
＜実施の形態１の効果＞
以上、説明したように、本実施の形態１の照明装置１によれば、灯具本体としての台座３０とカバー部材３２とが、張出部としての台座側部３０４とカバー側面部３２２とを備えている。台座側部３０４とカバー側面部３２２とは、灯具取付器具２に保持された状態で台座３０とカバー部材３２との短手方向Ｙの両端部から灯具取付器具２の取付部２３の内側に向かって且つ短手方向の外方へと延在している。また、灯具３を着脱自在に保持する灯具取付器具２は、灯具３を保持した状態で台座側部３０４およびカバー側面部３２２と対向して当接し、灯具３の光の照射側への移動を規制する移動規制部としての側面部２０１を取付部に備えている。また、取付部２３は、上下方向Ｚにおける下端に開口部Ｐ１が形成されており、長手方向Ｘにおける両端に開口部Ｐ２が形成されており、いずれかの開口部Ｐ１またはＰ２から灯具３が挿入されるようになっている。
【００４５】
したがって、本実施の形態１の照明装置１では、灯具取付器具２に対して灯具３をいずれかの開口部Ｐ１またはＰ２から挿入し、取付部２３に対して容易に装着できる。このとき、側面部２０１に対して台座側部３０４およびカバー側面部３２２を対向させて当接させる簡易な作業で、灯具取付器具２に組み付けた灯具３の発光素子３１０から発光される光の照射側への移動を規制する。よって、灯具３の灯具取付器具２から照射空間に向かう上下方向Ｚの下向きである下方向Ｚ２への落下を防止できる。さらに、灯具取付器具２に対する灯具３の着脱に、ばねおよびばね受け金具といった副資材を用いる必要がないため、材料費および加工費の削減を図ることができる。
【００４６】
＜実施の形態１の変形例１＞
図８は、実施の形態１の変形例１に係る照明装置１を示す概略断面図である。前述した実施の形態１の照明装置１では、灯具取付器具２の取付部２３における移動規制部としての側面部２０１は、底面部２００の側に向かって直線状に広くなっている形状であった。また、張出部としての台座側部３０４およびカバー側面部３２２は、取付部２３の内側に向かって且つ短手方向Ｙの外方へと直線状に延在している形状であった。本実施の形態１の変形例１に係る照明装置１において、移動規制部および張出部は前述した形状に限ることはない。
【００４７】
すなわち、例えば、図３との対応部分に同一符号を付した図８に示すように、本変形例１の照明装置１ａにおいて、移動規制部および張出部は、取付側凹部２６および灯具側凸部３６を有している形状であってもよい。この場合、具体的に、移動規制部としての側面部２０１ａは、開口の側から底面部２００の側に向かって広くなる途中に、光源３１の光軸方向に沿って略直角に屈曲形成された器具側対向部としての取付側凹部２６を有している。また、張出部としての台座側部３０４ａおよびカバー側面部３２２ａは、取付部２３の内側に向かって且つ短手方向Ｙの外方へと延在する途中に、光源３１の光軸方向に沿って略直角に屈曲形成された灯具側対向部としての灯具側凸部３６を有している。
【００４８】
取付側凹部２６は、側面部２０１ａの一部が、光源３１の光軸方向に沿って短手方向Ｙの外方へと突出することで、取付部２３ａ内に形成される凹部である。灯具側凸部３６は、台座側部３０４ａおよびカバー側面部３２２ａが重なる部分において、光源３１の光軸方向に沿って短手方向Ｙの外方へと突出することで、取付部２３ａ内に向かって形成される凸部である。
【００４９】
このとき、取付側凹部２６は、灯具側凸部３６に対向して当接する、すなわち取付側凹部２６と灯具側凸部３６とが、相互に係り合う形状で形成されている。よって、灯具３ａを灯具取付器具２ａの取付部２３ａに装着すると、取付側凹部２６に対して灯具側凸部３６が当接し、灯具３ａの発光素子３１０から発光される光の照射側に向かう上下方向Ｚの下向きである下方向Ｚ２への移動が規制される。しかも、取付側凹部２６と灯具側凸部３６とが、互いに光源３１の光軸方向に沿って短手方向Ｙの外方へと突出しているので、灯具３ａは、取付部２３ａに対して上下方向Ｚに直交する短手方向Ｙへの移動も規制される。これにより、取付側凹部２６と灯具側凸部３６とは、光源３１が灯具取付器具２の中心と重なるように、灯具３ａの姿勢を矯正する位置決め機構としても機能する。
【００５０】
以上、説明したように、本変形例１の照明装置１ａは、灯具３ａが灯具取付器具２ａの取付部２３ａに装着された状態で、灯具側凸部３６と取付側凹部２６とが相互に係り合うようになっている。灯具３ａは、灯具取付器具２ａに保持された状態で、灯具側凸部３６が取付側凹部２６に対向して当接するため、灯具３ａの発光素子３１０から発光される光の照射側に向かう上下方向Ｚの下向きである下方向Ｚ２への移動が規制される。しかも、取付側凹部２６と灯具側凸部３６とが、互いに光源３１の光軸方向に沿って短手方向Ｙの外方へと突出しているので、灯具３ａは、取付部２３ａに対して上下方向Ｚに直交する短手方向Ｙへの移動も規制される。これにより、取付側凹部２６と灯具側凸部３６とは、光源３１が灯具取付器具２ａの中心と重なるように、位置決め機構として灯具取付器具２ａに対する灯具３ａの姿勢を矯正することができる。
【００５１】
なお、灯具側凸部３６は長手方向Ｘに亘ってリブ状に設けられており、台座３０、カバー部材３２およびこれらを有する灯具３ａの剛性（強度）を向上させる効果も有している。また、取付側凹部２６は長手方向Ｘに亘ってリブ状に設けられており、灯具取付器具２ａの剛性（強度）を向上させる効果もある。そして、灯具３ａは灯具取付器具２ａに取り付けられた状態で、照明装置１ａ全体の剛性（強度）を向上させる効果もある。さらに、灯具３ａを灯具取付器具２ａに対して着脱する際には、灯具側凸部３６が取付側凹部２６に沿って滑動するので、灯具３ａの着脱作業をスムーズに行うことができる。すなわち、組付性やメンテナンス性を更に向上させることができる。
【００５２】
＜実施の形態１の変形例２＞
図９は、実施の形態１の変形例２に係る照明装置１を示す概略断面図である。前述した変形例１の照明装置１ａでは、移動規制部としての側面部２０１ａが、略直角に屈曲形成された取付側凹部２６を有している場合について述べた。また、前述した変形例１の照明装置１ａでは、張出部としての台座側部３０４ａおよびカバー側面部３２２ａが、略直角に屈曲形成された灯具側凸部３６を有している場合について述べた。
【００５３】
これに対して、例えば、図８との対応部分に同一符号を付した図９に示すように、本変形例２の照明装置１ｂは、移動規制部の取付側凹部２６ｂおよび張出部の灯具側凸部３６ｂの形状が略直角ではなく湾曲して形成されている。この場合、具体的に、移動規制部としての側面部２０１ｂは、開口の側から底面部２００の側に向かって広くなる途中に、光源３１の光軸方向に沿って湾曲して形成された器具側対向部としての取付側凹部２６ｂを有している。また、張出部としての台座側部３０４ｂおよびカバー側面部３２２ｂは、取付部２３の内側に向かって且つ短手方向Ｙの外方へと延在する途中に、光源３１の光軸方向に沿って湾曲して形成された灯具側対向部としての灯具側凸部３６ｂを有している。
【００５４】
取付側凹部２６ｂは、側面部２０１ｂの一部が、光源３１の光軸方向に沿って短手方向Ｙの外方へと突出することで、取付部２３ｂ内に形成される凹部である。灯具側凸部３６ｂは、台座側部３０４ｂおよびカバー側面部３２２ｂが重なる部分において、光源３１の光軸方向に沿って短手方向Ｙの外方へと突出することで、取付部２３ｂ内に向かって形成される凸部である。
【００５５】
このとき、取付側凹部２６ｂは、灯具側凸部３６ｂに対向して当接する、すなわち取付側凹部２６ｂと灯具側凸部３６ｂとが、相互に係り合う形状で形成されている。よって、灯具３ｂを灯具取付器具２ｂの取付部２３ｂに装着すると、取付側凹部２６ｂに対して灯具側凸部３６ｂが当接し、灯具３ｂの発光素子３１０から発光される光の照射側に向かう上下方向Ｚの下向きである下方向Ｚ２への移動が規制される。しかも、取付側凹部２６ｂと灯具側凸部３６ｂとが、互いに光源３１の光軸方向に沿って短手方向Ｙの外方へと突出しているので、灯具３ｂは、取付部２３ｂに対して上下方向Ｚに直交する短手方向Ｙへの移動も規制される。これにより、取付側凹部２６ｂと灯具側凸部３６ｂとは、光源３１が灯具取付器具２ｂの中心と重なるように、灯具３ｂの姿勢を矯正する位置決め機構としても機能する。その上、取付側凹部２６ｂおよび灯具側凸部３６ｂは、曲面のみで構成されているので、変形例１の取付側凹部２６および灯具側凸部３６のように、平面のみで形成される場合と比較して成形性に優れている。これと共に、変形例１と同様の効果を得ながら、灯具３ｂのカバー部材３２、台座３０および灯具取付器具２ｂに用いられる材料の量を削減することができ、軽量化と材料コストの削減もできる。
【００５６】
以上、説明したように、本変形例２の照明装置１ｂは、灯具３ｂが灯具取付器具２ｂの取付部２３ｂに装着された状態で、灯具側凸部３６ｂと取付側凹部２６ｂとが相互に係り合うようになっている。灯具３ｂは、灯具取付器具２ｂに保持された状態で、灯具側凸部３６ｂが取付側凹部２６ｂに対向して当接するため、灯具３ｂの発光素子３１０から発光される光の照射側に向かう上下方向Ｚの下向きである下方向Ｚ２への移動が規制される。しかも、取付側凹部２６ｂと灯具側凸部３６ｂとが、互いに光源３１の光軸方向に沿って短手方向Ｙの外方へと突出しているので、灯具３ｂは、取付部２３ｂに対して上下方向Ｚに直交する短手方向Ｙへの移動も規制される。これにより、取付側凹部２６ｂと灯具側凸部３６ｂとは、光源３１が灯具取付器具２ｂの中心と重なるように、位置決め機構として灯具取付器具２ｂに対する灯具３ｂの姿勢を矯正することができる。
【００５７】
なお、灯具側凸部３６ｂは長手方向Ｘに亘ってリブ状に設けられており、台座３０、カバー部材３２およびこれらを有する灯具３ｂの剛性（強度）を向上させる効果も有している。また、取付側凹部２６ｂは長手方向Ｘに亘ってリブ状に設けられており、灯具取付器具２ｂの剛性（強度）を向上させる効果もある。そして、灯具３ｂは灯具取付器具２ｂに取り付けられた状態で、照明装置１ｂ全体の剛性（強度）を向上させる効果もある。さらに、灯具３ｂを灯具取付器具２ｂに対して着脱する際には、灯具側凸部３６ｂが取付側凹部２６ｂに沿って滑動するので、灯具３ｂの着脱作業をスムーズに行うことができる。すなわち、組付性やメンテナンス性を更に向上させることができる。
【００５８】
＜実施の形態１の変形例３＞
図１０は、実施の形態１の変形例３に係る照明装置１を示す概略断面図である。前述した変形例２の照明装置１ｂでは、移動規制部としての側面部２０１ｂが、湾曲して形成された取付側凹部２６ｂを有している場合について述べた。また、前述した変形例２の照明装置１ｂでは、張出部としての台座側部３０４ｂおよびカバー側面部３２２ｂが、湾曲して形成された灯具側凸部３６ｂを有している場合について述べた。
【００５９】
これに対して、本変形例３の照明装置１ｃは、例えば、図９との対応部分に同一符号を付した図１０に示すように、移動規制部の取付側段部２６ｃおよび張出部の器具側段部３６ｃの形状が略直角に屈折して形成されている。この場合、具体的に、移動規制部としての側面部２０１ｃは、開口の側から底面部２００の側に向かって、短手方向Ｙの外方へと段階的に広くなる取付側段部２６ｃを有し、全体的に光源３１の光軸方向に沿って略直線状に形成されてなる。また、張出部としての台座側部３０４ｂおよびカバー側面部３２２ｂは、取付部２３ｃの内方に向け、短手方向Ｙの外方へと段階的に広くなる器具側段部３６ｃを有し、全体的に光源３１の光軸方向に沿って略直線状に形成されてなる。
【００６０】
取付側段部２６ｃは、側面部２０１ｃの一部が、光源３１の光軸方向に沿って短手方向Ｙの外方へと突出することで、取付部２３ｃ内に形成される段部である。器具側段部３６ｃは、台座側部３０４ｃおよびカバー側面部３２２ｃが重なる部分において、光源３１の光軸方向に沿って短手方向Ｙの外方へと突出することで、取付部２３ｃ内に向かって形成される段部である。
【００６１】
このとき、取付側段部２６ｃは、器具側段部３６ｃに対向して当接する、すなわち取付側段部２６ｃと器具側段部３６ｃとが、相互に係り合う形状で形成されている。よって、灯具３ｃを灯具取付器具２ｃの取付部２３ｃに装着すると、取付側段部２６ｃに対して器具側段部３６ｃが当接し、灯具３ｃの発光素子３１０から発光される光の照射側に向かう上下方向Ｚの下向きである下方向Ｚ２への移動が規制される。しかも、取付側段部２６ｃと器具側段部３６ｃとが、互いに光源３１の光軸方向に沿って短手方向Ｙの外方へと段状に突出しているので、灯具３ｃは、取付部２３ｃに対して上下方向Ｚに直交する短手方向Ｙへの移動も規制される。これにより、取付側段部２６ｃと器具側段部３６ｃとは、光源３１が灯具取付器具２ｃの中心と重なるように、灯具３ｃの姿勢を矯正する位置決め機構としても機能する。
【００６２】
また、取付側段部２６ｃおよび器具側段部３６ｃとは、互いに光源３１の光軸方向に沿って短手方向Ｙの外方へと段状に突出している。これと共に、側面部２０１ｃと、台座側部３０４ｂおよびカバー側面部３２２ｂとは、全体的に光源３１の光軸方向に沿って略直線状に形成されてなる。これにより、取付部２３ｃの空間容積（断面積）を小さくし、灯具３ｃと灯具取付器具２ｃとの間に形成されるクリアランス（隙間）を小さくできる。
【００６３】
以上、説明したように、本変形例３の照明装置１ｃは、灯具３ｃが灯具取付器具２ｃの取付部２３ｃに装着された状態で、取付側段部２６ｃと器具側段部３６ｃとが相互に係り合うようになっている。灯具３ｃは、灯具取付器具２ｃに保持された状態で、器具側段部３６ｃが取付側段部２６ｃに対向して当接するため、灯具３ｃの発光素子３１０から発光される光の照射側に向かう上下方向Ｚの下向きである下方向Ｚ２への移動が規制される。しかも、取付側段部２６ｃと器具側段部３６ｃとが、互いに光源３１の光軸方向に沿って短手方向Ｙの外方へと突出しているので、灯具３ｃは、取付部２３ｃに対して上下方向Ｚに直交する短手方向Ｙへの移動も規制される。これにより、取付側段部２６ｃと器具側段部３６ｃとは、光源３１が灯具取付器具２ｃの中心と重なるように、位置決め機構として灯具取付器具２ｃに対する灯具３ｃの姿勢を矯正することができる。また、取付部２３ｃの空間容積（断面積）を小さくしており、灯具３ｃと灯具取付器具２ｃとの間に形成されるクリアランス（隙間）が小さくなっている。すなわち、本変形例３に係る照明装置１ｃは、灯具３ｃが傾き難い断面形状となっている。このため、灯具３ｃを灯具取付器具２ｃに対して着脱する際に、作業者が誤って灯具３ｃを落下させてしまう虞がない。
【００６４】
なお、器具側段部３６ｃは長手方向Ｘに亘ってリブ状に設けられており、台座３０、カバー部材３２およびこれらを有する灯具３ｃの剛性（強度）を向上させる効果も有している。また、取付側段部２６ｃは長手方向Ｘに亘ってリブ状に設けられており、灯具取付器具２ｃの剛性（強度）を向上させる効果もある。そして、灯具３ｃは灯具取付器具２ｃに取り付けられた状態で、照明装置１ｃ全体の剛性（強度）を向上させる効果もある。さらに、灯具３ｃを灯具取付器具２ｃに対して着脱する際には、器具側段部３６ｃが取付側段部２６ｃに沿って滑動するので、灯具３ｃの着脱作業をスムーズに行うことができる。すなわち、組付性やメンテナンス性を更に向上させることができる。
【００６５】
実施の形態２．
図１１は、実施の形態２に係る照明装置１ｄの組付手順を示す概略断面図である。図１２は、実施の形態２に係る照明装置１ｄの組付手順を示す概略断面図である。図１３は、実施の形態２に係る照明装置１ｄの組付手順を示す概略断面図である。なお、図３の照明装置１との対応部分に同一の符号を付した図１１〜図１３の照明装置１ｄにおいて、同一の構成については、その詳細な説明は割愛する。本実施の形態２の照明装置１ｄは、灯具取付器具２ｄに対する灯具３ｄの組付方法が異なる点を除き、前述した実施の形態１に係る照明装置１とほぼ同様に構成されている。このため、ここでは主に灯具取付器具２ｄに対する灯具３ｄの組付方法について説明する。
【００６６】
前述した実施の形態１の照明装置１では、灯具取付器具２に対して灯具３を、取付部２３の長手方向Ｘの両端部における一方の開口部Ｐ２からスライドさせて組み付けるようにしていた。これに対して、本実施の形態２の照明装置１ｄでは、図１１に示すように、灯具取付器具２ｄに対して灯具３ｄを、取付部２３ｄの上下方向Ｚにおける下端に形成された開口部Ｐ１から挿入し、取付部２３ｄの内部に装着するようにしている。なお、本実施の形態２の場合、灯具取付器具２ｄの取付部２３ｄは、側面部２０１ｄが底面部２００の側に位置する第一側面部２０２と、開口部Ｐ１の側に向かうほど光源３１の側に傾斜する第二側面部２０３とからなる。この場合、側面部２０１ｄのうちの第二側面部２０３が、移動規制部として機能する。
【００６７】
このとき、照明装置１ｄは、実施の形態１の照明装置１と同様に、灯具３ｄの短手方向Ｙにおける最大の寸法Ｗ３２が、短手方向Ｙにおける取付部２３ｄの開口端の寸法Ｗ２１より大きい（Ｗ３２＞Ｗ２１）。そこで、灯具３ｄの短手方向Ｙにおける最小寸法Ｗ３３を、短手方向Ｙにおける取付部２３ｄの開口端の寸法Ｗ２１より小さくするためには（Ｗ２１＞Ｗ３３）、灯具３ｄを光源３１の光軸を中心に例えば角度θ１度傾ければよい。これによって、灯具３ｄは灯具取付器具２ｄの照射開口である取付部２３ｄの開口部Ｐ１を経由して着脱させることができる。なお、本実施の形態２では、高さ方向としての上下方向Ｚに沿ってカバー部材３２の外面と電源装置３３ｄの外面とを結んだ灯具３ｄの最大高さ寸法が最小寸法Ｈ３１である。
【００６８】
前述した実施の形態１において、灯具３は、灯具取付器具２の取付部２３に対して開口部Ｐ２（図２などを参照）から長手方向Ｘに沿ってスライドして着脱される。このため、灯具３の外形形状および寸法は、灯具取付器具２を天井９に取り付けるための設備である吊ボルト８と接触しないよう配慮されている。
【００６９】
これに対して、本実施の形態２の照明装置１ｄは、灯具３ｄが長手方向Ｘに沿った軸を中心として回転させながら灯具取付器具２ｄの取付部２３ｄに着脱される。このため、電源装置３３ｄは、吊ボルト８が配置されない灯具取付器具２ｄの中心軸上にも配置することが可能となる。
【００７０】
このとき、電源装置３３ｄの質量は、灯具３ｄの質量の１５％〜３５％程度を占めるため、電源装置３３ｄを灯具３ｄの短手方向Ｙにおける中央に配置することによって、灯具３ｄは取付部２３ｄに装着された状態での姿勢が安定する。
【００７１】
照明装置１ｄの外形形状および寸法は、灯具取付器具２ｄの取付部２３ｄに対する灯具３ｄの着脱の際に生じる支障を回避し得るように加味されて設定される。実施の形態１の場合と比較すると灯具３ｄは低背となっているが、例えば高背部品を横倒しして配置するなど台座主部３００を広く有効活用できるため影響はない。
【００７２】
本実施の形態２の照明装置１ｄは、灯具取付器具２ｄの取付部２３ｄにおける長手方向Ｘの端部に配置される開口部Ｐ２を経由して灯具３ｄを着脱することが困難となるような設置環境であっても効率的に灯具３ｄを着脱することができる。この灯具３ｄを着脱することが困難な設置環境としては、例えば、壁際の天井９などに照明装置１ｄが取り付けられる場合、または、照明装置１ｄが長手方向Ｘに連結して設置される場合などが挙げられる。
【００７３】
本実施の形態２における照明装置１ｄは、灯具３ｄを長手方向Ｘの軸を中心に回転させ、つまり灯具３ｄを取付部２３ｄの開口部Ｐ１に対して長手方向Ｘの軸を中心に傾けた状態で挿入させ、灯具取付器具２ｄに組み付ける。このため、照明装置１ｄでは、灯具３ｄを灯具取付器具２ｄに装着しない状態で、灯具３ｄと灯具取付器具２ｄとの配線作業を行う。この際、灯具３ｄは、公知の吊紐またはワイヤーなどの仮保持手段を用いて、灯具取付器具２ｄの周辺に仮保持される。または、仮保持手段を用いずに、灯具３ｄと灯具取付器具２ｄとに仮保持機構を設けるようにしてもよい。このとき、仮保持手段または仮保持機構は、灯具取付器具２ｄに灯具３ｄが装着された状態でも仮保持を維持する構成とすることが望ましい。これにより、灯具３ｄが灯具取付器具２ｄから外れ、または落下するリスクを最小限に抑えるフェールセーフ機能を兼ね備えることができる。なお、仮保持手段または仮保持機構は、灯具取付器具２ｄの着脱の妨げにならないことが前提となる。
【００７４】
ここで、本実施の形態２の照明装置１ｄにおける灯具取付器具２ｄと灯具３ｄとの組付方法について説明する。具体的に、まず、図１１に示すように、天井９などの被取付部に取り付けられた灯具取付器具２ｄに対して、灯具３ｄを矢印Ｄ２の向きに移動させ、灯具取付器具２ｄの取付部２３ｄ周辺へと近づける。
【００７５】
次に、灯具３ｄを公知の吊紐またはワイヤーなどの仮保持手段（不図示）を用いて、灯具取付器具２ｄの取付部２３ｄにおける開口部Ｐ１周辺に仮保持する。この状態において、灯具３ｄと灯具取付器具２ｄとの配線作業を行う。
【００７６】
そして、灯具３ｄを光源３１の光軸を中心に例えば角度θ１度傾け（矢印Ｄ３）、灯具３ｄの短手方向Ｙにおける最小寸法Ｗ３３を、短手方向Ｙにおける取付部２３ｄの開口端の寸法Ｗ２１より小さくさせる（Ｗ２１＞Ｗ３３）。そして、この状態で灯具３ｄを取付部２３ｄ内へと挿入させる（矢印Ｄ４）。そして、図１２に示すように、取付部２３ｄに対して灯具３ｄが、灯具３ｄの取付部２３ｄにおける外方の側に位置する端部を取付部２３ｄに収容可能な状態まで挿入されると、灯具３ａを光源３１の光軸を中心に回転させる（矢印Ｄ５）。これにより、図１３に示すように、灯具３ｄにおける角度θ１度の傾きが元の状態へと戻され、取付部２３ｄの側面部２０１ｄに対して、灯具３ｄの台座側部３０４およびカバー側面部３２２が当接する。
【００７７】
＜実施の形態２の効果＞
以上、説明したように、本実施の形態２の照明装置１ｄによれば、灯具取付器具２ｄに対して灯具３ｄを、光源３１の光軸を中心に傾かせた状態で、取付部２３ｄの上下方向Ｚにおける下端に形成された開口部Ｐ１から挿入するだけで、取付部２３に対して容易に装着できる。また、灯具取付器具２ｄの取付部２３ｄが灯具３ｄを保持した状態において、側面部２０１ｄに対して台座側部３０４およびカバー側面部３２２を対向させて当接させる簡易な作業で、灯具３ｄの上下方向Ｚにおける下向きである下方向Ｚ２への移動を規制する。よって、灯具取付器具２ｄに対する灯具３ｄの下方向Ｚ２への落下を防止できる。さらに、灯具取付器具２ｄに対する灯具３ｄの着脱に、ばねおよびばね受け金具といった副資材を用いる必要がないため、材料費および加工費の削減を図ることができる。
【００７８】
実施の形態３．
図１４は、実施の形態３に係る照明装置１ｅを示す概略断面図である。なお、図１１〜図１３の照明装置１ｄとの対応部分に同一の符号を付した図１４の照明装置１ｅにおいて、同一の構成については、その詳細な説明は割愛する。本実施の形態３の照明装置１ｅは、灯具３ｅの構成が異なる点を除き、前述した実施の形態２に係る照明装置１ｄとほぼ同様に構成されている。このため、ここでは主に灯具３ｅの構成について説明する。
【００７９】
前述した実施の形態２の照明装置１ｄでは、灯具３ｄにおいて、カバー側面部３２２の上端の側には、台座主部３００の台座側部３０４と対向して重なり、灯具取付器具２ｄの取付部２３ｄにおける側面部２０１ｄと当接するカバー張出部３２３が形成されていた。そして、カバー張出部３２３の上端部に形成されたカバー係合部３２４が、台座側部３０４のカバー係合孔３０５に係合されることにより台座３０に固定される構成となっていた。
【００８０】
これに対し、本実施の形態３の照明装置１ｅでは、灯具３ｅにおいて、カバー部材３２ｅは、台座３０ｅの台座主部３００ｅに取り付けられ、灯具３ｅの台座側部のうち、第一の台座側部３０６のみが張出部として機能する構成となっている。具体的に、台座側部は、台座３０ｅの短手方向Ｙにおける両端部から取付部２３ｄ内へと延在して形成され、第一の台座側部３０６と、第二の台座側部３０７と、を有して構成されている。
【００８１】
第一の台座側部３０６は、カバー係合孔３０５より底面部２００寄りに位置し、取付部２３ｄにおける移動規制部として機能する側面部２０１ｄの第二側面部２０３と当接する。第二の台座側部３０７は、取付部２３ｄの開口の側に位置し、カバー係合孔３０５が形成されている。また、第一の台座側部３０６と第二の台座側部３０７との境界部には、取付部２３ｄの内方へ向けて窪んだ段部３０８が形成されている。このとき、カバー係合孔３０５は、第二の台座側部３０７における取付部２３ｄの開口側端部と対向する位置に形成されており、カバー側面部３２２の上端の側に位置するカバー張出部３２３ｅのカバー係合部３２４ｅが係合される。換言すれば、カバー部材３２ｅが取り付けられるカバー係合孔３０５は、取付部２３ｄの開口側端部と対向する位置であり、第一の台座側部３０６は段部３０８に至るまで取付部２３ｄの内方側へ窪んだ状態で配置されるため、側面部２０１ｄとは当接しない。また、カバー部材３２ｅが取り付けられるカバー係合孔３０５は、取付部２３ｄの開口側端部と対向する位置、すなわち台座主部３００ｅの天井９の側に位置する上面の側に向けて開口されている。よって、カバー係合部３２４ｅはカバー係合孔３０５に係合することで、台座主部３００ｅに取り付けられると言える。このようにして、カバー部材３２ｅは台座３０ｅに取り付けられ、光源３１を覆うと共に灯具取付器具２ｄの照射開口を覆っている。
【００８２】
つまり、本実施の形態３の照明装置１ｅにおいて、灯具３ｅは、カバー部材３２ｅが台座主部３００ｅに取付けられ、第一の台座側部３０６のみが、灯具取付器具２ｄの移動規制部としての第二側面部２０３と対向して当接する張出部として機能する。
【００８３】
＜実施の形態３の効果＞
以上、説明したように、本実施の形態３の照明装置１ｅでは、灯具３ｅにおいて、カバー部材３２ｅが台座３０ｅの台座主部３００ｅに取り付けられる。また、第一の台座側部３０６のみが、灯具取付器具２ｄの移動規制部である側面部２０１ｄと対向して当接する張出部として機能する。ここで、一般に、台座３０ｅおよび灯具取付器具２ｄの本体部２０ｄは、金属材料、或いは金属材料を含む絶伝導性の材料を用いて形成されている。台座３０ｅは、熱源である光源３１または灯具３ｅから発生する動作熱を放熱するための熱伝達手段として機能する。このため、張出部である第一の台座側部３０６が移動規制部である側面部２０１ｄの第二側面部２０３と直接接触することによって、放熱が促進され、発光素子３１０および灯具３ｅを構成する部品の動作信頼性が向上する。よって、長期に亘って照明装置１ｅの品質を維持できる。また、放熱効率が向上することによって、耐熱仕様が緩和された安価な部品を採用できるので、照明装置１ｅのコスト削減に繋がる可能性がある。
【００８４】
また、本実施の形態３の照明装置１ｅでは、カバー部材３２ｅが第一の台座側部３０６と係合せず、台座主部３００ｅに取り付けられるため、他の実施形態の灯具３、３ａ、３ｂ、３ｃおよび３ｄと比較して、小形化と軽量化を図ることができる。そして、光学機能を備えた樹脂材料の使用量を削減することができるため、照明装置１ｅのコスト削減にも繋がる。
【００８５】
＜実施の形態３の変形例１＞
図１５は、実施の形態３の変形例１に係る照明装置１ｆを示す概略断面図である。図１４との対応部分に同一符号を付した図１５に示すように、本実施の形態３の変形例１に係る照明装置１ｆは、第一の台座側部３０６の先端に、灯具３ｆの外方に向けて釣り針状に屈曲した台座係合部３０９が形成されている。また、灯具取付器具２ｆの取付部２３ｄにおいて、側面部２０１ｆの第二側面部２０３ｆには、台座係合部３０９が係合される器具側部貫通孔２０８が形成されている。
【００８６】
本実施の形態３の変形例１における照明装置１ｆでは、側面部２０１ｆの第二側面部２０３ｆに形成された器具側部貫通孔２０８に、灯具３ｆの台座係合部３０９が係合される。このように、照明装置１ｆでは、灯具３ｆにおいて、器具側部貫通孔２０８と台座係合部３０９とが、当該灯具３ｆの落下防止機構として機能する。
このとき、台座係合部３０９および器具側部貫通孔２０８は、少なくとも１組設けることによって落下防止機構としてその機能を発揮するが、長手方向Ｘに亘って複数設けることが好ましい。
【００８７】
このように、本実施の形態３の変形例１に係る照明装置１ｆでは、第一の台座側部３０６が灯具取付器具２ｄの移動規制部である側面部２０１ｆの第二側面部２０３ｆと対向して当接することに加え、台座係合部３０９が器具側部貫通孔２０８と係合する。これにより、第一の台座側部３０６が側面部２０１ｆの第二側面部２０３ｆと当接することで張出部として機能し、台座係合部３０９が器具側部貫通孔２０８と係合することで灯具３ｆの落下防止機構として機能する。従って、灯具取付器具２ｆから灯具３ｆが落下するのを未然に防止できる。
【００８８】
＜実施の形態３の変形例２＞
図１６は、実施の形態３の変形例２に係る照明装置１ｇを示す概略断面図である。図１４との対応部分に同一符号を付した図１６に示すように、本実施の形態３の変形例２に係る照明装置１ｇは、灯具３ｇにおいて、カバー部材３２ｇが台座主部３００ｇに取り付けられる構成となっている。カバー部材３２ｇはカバー正面部３２１によって光源３１を覆うと共に灯具取付器具２ｄの照射開口を覆っている。
【００８９】
具体的に、カバー部材３２ｇは台座側部３０４とは係合せず、カバー正面部３２１の台座３０ｇの側に位置する両端部に設けられたカバー係合部３２４ｇを、台座主部３００ｇに形成された台座主部貫通孔３０１に係合させ、台座主部３００ｇに直接取付けられている。つまり、主カバー３２０ｇは、当該主カバー３２０ｇの材料の弾性を利用して台座主部３００ｇに形成された台座主部貫通孔３０１にはめ込むことにより台座３０ｇに固定されるスナップフィット構造を採用している。これにより、カバー部材３２ｇは、他の実施形態の灯具３〜３ｆと比較して、小形化と軽量化を図ることができる。そして、光学機能を備えた樹脂材料の使用量を削減することができるため、照明装置１ｇのコスト削減にも繋がる。
【００９０】
＜実施の形態３の変形例３＞
図１７は、実施の形態３の変形例３に係る照明装置１ｈを示す概略断面図である。図１６との対応部分に同一符号を付した図１７に示すように、本実施の形態３の変形例３に係る照明装置１ｈは、灯具３ｈにおいて、カバー部材３２ｈが台座主部３００ｇに直接取り付けられる構成となっている。カバー部材３２ｈは、カバー正面部３２１によって光源３１を覆うと共に灯具取付器具２ｄの照射開口を覆っている。
【００９１】
具体的に、灯具３ｈにおいて、カバー部材３２ｈは、カバー対向部３２５が、カバー側面部３２２の上端から光源３１に向かってヘアピン状に屈曲して形成されており、台座主部３００ｇの上下方向Ｚにおける下向きである下方向Ｚ２に面する光源３１を除く下面と対向して配置されている。このカバー対向部３２５と台座主部３００ｇの下面との間には第二空間Ｓ２が形成されている。そして、カバー対向部３２５におけるカバー側面部３２２側の端部には、カバー係合部３２４ｇが設けられている。
【００９２】
この照明装置１ｈの場合、カバー部材３２ｈは台座側部３０４とは係合せず、カバー正面部３２１の台座主部３００ｇの側に位置するカバー係合部３２４ｇを台座主部３００ｇに形成された台座主部貫通孔３０１に係合させ、台座主部３００ｇに取り付けられている。つまり、主カバー３２０ｇは、当該主カバー３２０ｇの材料の弾性を利用して台座主部３００ｇに形成された台座主部貫通孔３０１にはめ込むことにより台座３０ｇに固定されるスナップフィット構造を採用している。これにより、カバー部材３２ｇは、他の実施形態の灯具３〜３ｆと比較して、小形化と軽量化を図ることができる。そして、光学機能を備えた樹脂材料の使用量を削減することができるため、照明装置１ｇのコスト削減にも繋がる。
【００９３】
また、照明装置１ｈは、カバー部材３２ｈを台座主部３００ｇに取り付けることを目的として、台座主部３００ｇに台座主部貫通孔３０１を形成している。これにより、カバー部材３２ｈと台座主部３００ｇとで囲まれた第一空間Ｓ１には、塵埃または虫などの異物が侵入するリスクを生じさせる。そこで、本実施の形態３の変形例３は、このリスクを抑制する効果を奏するものである。
【００９４】
カバー部材３２ｈは、台座主部３００ｇの下面のうち、光源３１が配置された領域を除く部分と対向するカバー対向部３２５が形成されている。また、カバー部材３２ｈを台座主部３００ｇに装着するためのカバー係合部３２４ｇは、カバー対向部３２５から突出して設けられている。カバー係合部３２４ｇが被係合部である台座主部３００ｇの台座主部貫通孔３０１に係合することによってカバー部材３２ｈが台座主部３００ｇに取り付けられる。
【００９５】
灯具３ｈは、カバー対向部３２５と、台座主部３００ｇとで囲まれた領域に、第二空間Ｓ２が形成されている。このとき、カバー対向部３２５は、第一空間Ｓ１と第二空間Ｓ２とを隔てる遮蔽部として機能する。台座主部貫通孔３０１から異物が侵入した場合に、当該異物は第二空間Ｓ２に捕捉され、カバー対向部３２５で隔てられた遮蔽空間である第一空間Ｓ１へは侵入しない。このように、第二空間Ｓ２は、台座主部貫通孔３０１から侵入した異物を捕捉する捕捉空間として機能する。
【００９６】
カバー対向部３２５は、高反射材料を用いて形成されてもよい。この場合、カバー部材３２ｈは、カバー正面部３２１とカバー側面部３２２とに用いられる透光性材料とカバー対向部３２５に用いられる高反射材料とによる複数色成形で製造される。
【００９７】
＜実施の形態３のその他の変形例＞
図示は省略するが、実施の形態３のその他の変形例として、カバー対向部３２５の態様が更に異なるものが挙げられる。例えば、その他のカバー対向部としては、その対向する端部が光源基板３１１と重なるように発光素子３１０の側に延設されていてもよい。
【００９８】
前述の通り、光源基板３１１は、接着剤または粘着テープといった接着部材を用いて台座主部３００ｇの上下方向Ｚにおける下向きである下方向Ｚ２に面する側となる下面に貼り付けられている。これに対し、本変形例の場合、光源基板３１１が第一空間Ｓ１の側へ脱落しない構造としており、カバー正面部３２１などに光源基板３１１が接触する虞がなくなる。さらに、高反射化の機能をカバー対向部に集約し、光源基板３１１の表面（実装面）の高反射化処理を削減することも可能である。
【００９９】
実施の形態４．
図１８は、実施の形態４に係る照明装置１ｉの組付手順の説明に供する図である。図１９は、図１８の照明装置１ｉをＢ−Ｂ視野から見て示す概略断面図である。なお、図５〜図７との対応部分に同一符号を付した図１８、および、図３との対応部分に同一符号を付した図１９において、同一の構成については、その詳細な説明は割愛する。本実施の形態４は、照明装置１ｉにおける灯具取付器具２ｉと灯具３ｉとの電気接続について説明するもので、照明装置１ｉとしては、前述した実施の形態１の照明装置１と同様の構成からなる。
【０１００】
図１８および図１９に示すように、灯具取付器具２ｉの取付部２３には器具側コネクタ２７が配置されており、商用電源に繋がる電線２５（図２などを参照）が接続されている。また、灯具３ｉの台座主部３００には、灯具側コネクタ３７が取り付けられており、電源装置３３に繋がる給電線３４１（図４などを参照）が接続されている。
【０１０１】
灯具３ｉは、灯具取付器具２ｉの開口部Ｐ２を経由して長手方向Ｘに沿ってスライドさせて装着された状態で、器具側コネクタ２７と灯具側コネクタ３７とが接続される。具体的には、器具側コネクタ２７と灯具側コネクタ３７とは離間せず、器具側接続端２７１と、灯具側接続端３７１とが当接することによって電気的な接続が維持され、電源装置３３に対して商用電源が供給される電力供給経路が形成される。
【０１０２】
＜実施の形態４の効果＞
以上、説明したように、本実施の形態４の照明装置１ｉによれば、配線部材を用いることなく電気的な接続を行うことができるので、灯具３ｉの着脱作業をより一層簡易化できる。つまり、効率的に組付作業あるいはメンテナンス作業を行うことができる。
【０１０３】
なお、器具側コネクタ２７と灯具側コネクタ３７とは、外部制御源と制御部との間に制御信号を伝達する経路として用いてもよい。
【０１０４】
実施の形態５．
図２０は、実施の形態５に係る照明装置１ｋを示す概略断面図である。なお、図１３との対応部分に同一符号を付した図２０において、同一の構成については、その詳細な説明は割愛する。本実施の形態５は、照明装置１ｋにおける灯具取付器具２ｋと灯具３ｋとの電気接続について説明するものである。照明装置１ｋとしては、前述した実施の形態２の照明装置１ｄと、灯具取付器具２ｋとしては、前述した実施の形態２の灯具取付器具２ｄと、灯具３ｋとしては、前述した実施の形態２の灯具３ｄと、それぞれ同様の構成からなる。
【０１０５】
灯具取付器具２ｋの取付部２３ｄの外側であり、取付部２３ｄと外観部２０７とに囲まれた空間には、器具側コネクタ２７ｋが配置されており、商用電源に繋がる電線２５（図２などを参照）が接続されている。また、灯具３ｋの台座主部３００には灯具側コネクタ３７ｋが取り付けられており、電源装置３３に繋がる給電線３４１（図４などを参照）が接続されている。
【０１０６】
灯具３ｋが長手方向Ｘに沿った軸を中心として回転させながら灯具取付器具２ｋの取付部２３ｄに装着された状態で、器具側コネクタ２７ｋと灯具側コネクタ３７ｋとが接続される。器具側コネクタ２７ｋと灯具側コネクタ３７ｋとは、取付部２３ｄの第二側面部２０３に形成された器具側部貫通孔２０８ｋを介して接続される。
【０１０７】
＜実施の形態５の効果＞
以上、説明したように、本実施の形態５の照明装置１ｋによれば、器具側コネクタ２７ｋが、取付部２３ｄと外観部２０７とに囲まれた空間に配置されているので、灯具取付器具２ｋの取付部２３ｄに対する灯具３ｋの着脱作業を妨げることはない。
【０１０８】
＜その他の変形例＞
なお、照明装置並びにそれに用いる灯具および灯具取付器具としては、上記実施の形態１〜５に限定されず、種々の変更を加えることができる。例えば、短手方向Ｙの断面から見た取付部の形状は、逆台形状、頂点を下にした三角形状、丸形状または多角形状などでもよく、一端面の幅が上下方向Ｚにおける上向きである上方向Ｚ１に向かうほど広くなっている形状であれば、あらゆるものを広く適用できる。
【０１０９】
また、取付部の内面は、連続した直線、または曲線でもよいが、途中で屈曲点があり、直角形状、鋭角状、鈍角状、凹凸形状、丸形状またはエンボス形状などでもよく、それらを支点に光源３１が灯具取付器具に当接してもよい。
【０１１０】
さらに、灯具取付器具における取付部の内面に当接する灯具は、基本的に支持体（フレーム）とするが、拡散カバーを代用してもよいし、電源装置の一部を利用してもよい。また、同様に、照明装置の組付方法としては、上記実施の形態１、２、４および５に限定されず、種々の変更を加えることができる。
【符号の説明】
【０１１１】
１、１ａ、１ｂ、１ｃ、１ｄ、１ｅ、１ｆ、１ｇ、１ｈ、１ｉ、１ｋ  照明装置、２、２ａ、２ｂ、２ｃ、２ｄ、２ｆ、２ｉ、２ｋ  灯具取付器具、３、３ａ、３ｂ、３ｃ、３ｄ、３ｅ、３ｆ、３ｇ、３ｈ、３ｉ、３ｋ  灯具、８  吊ボルト、９  天井、２０、２０ｄ  本体部、２００  底面部、２０１、２０１ａ、２０１ｂ、２０１ｃ、２０１ｄ、２０１ｆ  側面部、２０２  第一側面部、２０３、２０３ｆ  第二側面部、２０６  他端、２０７  外観部、２０８、２０８ｋ  器具側部貫通孔、２０９  ねじ固定孔、２１  端板、２１０  端板本体部、２１１  端板蓋部、２１２  ねじ孔、２１３  端板鍔部、２２  固定用ねじ、２３、２３ａ、２３ｂ、２３ｃ、２３ｄ  取付部、２４  端子台、２５  端子台接続部、２５１  端子台電線、２５２  端子台コネクタ、２６、２６ｂ  取付側凹部、２６ｃ  取付側段部、２７、２７ｋ  器具側コネクタ、２７１  器具側接続端、３０、３０ｅ、３０ｇ  台座、３００、３００ｅ、３００ｇ  台座主部、３０１  台座主部貫通孔、３０４、３０４ａ、３０４ｂ、３０４ｃ  台座側部、３０５  カバー係合孔、３０６  第一の台座側部、３０７  第二の台座側部、３０８  段部、３０９  台座係合部、３１  光源、３１０  発光素子、３１１  光源基板、３２、３２ｅ、３２ｇ、３２ｈ  カバー部材、３２０、３２０ｇ  主カバー、３２１  カバー正面部、３２２、３２２ａ、３２２ｂ、３２２ｃ  カバー側面部、３２３、３２３ｅ  カバー張出部、３２４、３２４ｅ、３２４ｇ  カバー係合部、３２５  カバー対向部、３２９  端部カバー、３３、３３ｄ  電源装置、３３０  筐体、３６、３６ｂ  灯具側凸部、３６ｃ  器具側段部、３７、３７ｋ  灯具側コネクタ、３７１  灯具側接続端、３４０  灯具電源電線、３４１  給電線、３４２  コネクタ、Ｈ３１  最小寸法、Ｐ１  開口部、Ｐ２  開口部、Ｓ１  第一空間、Ｓ２  第二空間、Ｗ２１  寸法、Ｗ３２  寸法、Ｗ３３  最小寸法。
【図１】
2020202061.tif 000003
【図２】
2020202061.tif 000004
【図３】
2020202061.tif 000005
【図４】
2020202061.tif 000006
【図５】
2020202061.tif 000007
【図６】
2020202061.tif 000008
【図７】
2020202061.tif 000009
【図８】
2020202061.tif 000010
【図９】
2020202061.tif 000011
【図１０】
2020202061.tif 000012
【図１１】
2020202061.tif 000013
【図１２】
2020202061.tif 000014
【図１３】
2020202061.tif 000015
【図１４】
2020202061.tif 000016
【図１５】
2020202061.tif 000017
【図１６】
2020202061.tif 000018
【図１７】
2020202061.tif 000019
【図１８】
2020202061.tif 000020
【図１９】
2020202061.tif 000021
【図２０】
2020202061.tif 000022